(57)【要約】【課題】被写体の衣服の脱衣時間と着衣時間の合計である脱着時間を考慮し、被写体が入るべき撮影室を自動的に特定することができ、スムーズに被写体を撮影室に導くことができる放射線画像撮影システムを提供する。【解決手段】放射線画像撮影システムは、放射線源を制御し、被写体の放射線画像情報を取得する撮影装置がそれぞれ設置された複数の撮影室と、各撮影室におけるそれぞれの撮影装置を、対応する撮影条件に基づいて制御し、各撮影装置にて取得した放射線画像情報を処理するコンソール２４とを有する放射線画像撮影システムであって、コンソール２４は、被写体が撮影室に入室する時点から撮影室から退室する時点までの撮影時間を、少なくとも被写体に対応する撮影条件に基づいて予測する撮影時間予測部２２６と、予測された被写体の撮影時間に基づいて、被写体が入るべき撮影室を特定する被写体割付部２２８とを有する。【選択図】図８
2009247571.tif 000002
【特許請求の範囲】
【請求項１】
放射線源を制御し、被写体の放射線画像情報を取得する撮影装置がそれぞれ設置された複数の撮影室と、
各前記撮影室におけるそれぞれの前記撮影装置を、対応する撮影条件に基づいて制御し、各前記撮影装置にて取得した放射線画像情報を処理する処理装置とを有する放射線画像撮影システムであって、
前記処理装置は、
前記被写体が前記撮影室に入室する時点から前記撮影室から退室する時点までの撮影時間を、少なくとも前記被写体に対応する前記撮影条件に基づいて予測する撮影時間予測部と、
予測された前記被写体の撮影時間に基づいて、前記被写体が入るべき撮影室を特定する被写体割付部とを有することを特徴とする放射線画像撮影システム。
【請求項２】
請求項１記載の放射線画像撮影システムにおいて、
前記撮影時間予測部は、
前記被写体について、過去の同一撮影部位の撮影時間に基づいて今回の撮影時間を予測することを特徴とする放射線画像撮影システム。
【請求項３】
請求項１記載の放射線画像撮影システムにおいて、
前記被写体の撮影時間の実測値を計測する計測部と、
計測された前記撮影時間の実測値を、少なくとも撮影部位に対応させて記憶部に登録する実測値登録部とを有することを特徴とする放射線画像撮影システム。
【請求項４】
請求項３記載の放射線画像撮影システムにおいて、
前記撮影時間予測部は、
前記被写体について、前記記憶部に登録された過去の同一撮影部位の撮影時間の実績値に基づいて今回の撮影時間を予測することを特徴とする放射線画像撮影システム。
【請求項５】
請求項１記載の放射線画像撮影システムにおいて、
前記撮影時間予測部は、
前記被写体の少なくとも撮影部位に基づいて正味撮影時間を予測する正味撮影時間予測部と、
少なくとも前記被写体の年齢、性別、身体状態のうち、１つ以上の情報と、撮影枚数とに基づいて前記正味撮影時間を補正して補正正味撮影時間とする補正部と、
少なくとも前記被写体の年齢、性別、身体状態のうち、１つ以上の情報に基づいて、前記被写体の衣服の脱衣時間と着衣時間の合計である脱着時間を予測する脱着時間予測部とを有し、
前記補正正味撮影時間と前記脱着時間との合計を前記撮影時間とすることを特徴とする放射線画像撮影システム。
【請求項６】
請求項５記載の放射線画像撮影システムにおいて、
前記脱着時間予測部は、
予測した前記被写体の脱着時間を、該被写体の実際の脱衣時間に基づいて補正することを特徴とする放射線画像撮影システム。
【請求項７】
請求項５又は６記載の放射線画像撮影システムにおいて、
前記脱着時間予測部は、
予測した前記被写体の脱着時間を、該被写体を呼び出した時点から該被写体が対応する撮影室に入室する時点までの時間に基づいて補正することを特徴とする放射線画像撮影システム。
【請求項８】
請求項１記載の放射線画像撮影システムにおいて、
前記撮影時間予測部は、
被写体毎に、且つ、少なくとも撮影部位に対応させて撮影時間が登録された情報テーブルを用いて、撮影対象の前記被写体の撮影時間を検索する第１予測部と、
撮影対象の前記被写体の撮影時間を演算によって求める第２予測部とを有し、
前記第１予測部にて撮影対象の前記被写体の撮影時間が検索できなかった場合に、前記第２予測部にて撮影対象の前記被写体の撮影時間を求めることを特徴とする放射線画像撮影システム。
【請求項９】
請求項８記載の放射線画像撮影システムにおいて、
前記第２予測部は、演算によって求めた前記被写体の撮影時間を前記情報テーブルに登録することを特徴とする放射線画像撮影システム。
【請求項１０】
請求項８記載の放射線画像撮影システムにおいて、
前記被写体の撮影時間の実測値を計測する計測部と、
計測された前記撮影時間の実測値を、前記情報テーブルに登録する実測値登録部とを有し、
前記第１予測部は、
前記被写体について、前記情報テーブルに登録された過去の同一撮影部位の撮影時間の実績値に基づいて今回の撮影時間を予測することを特徴とする放射線画像撮影システム。
【請求項１１】
請求項１〜１０のいずれか１項に記載の放射線画像撮影システムにおいて、
前記被写体割付部は、
予測された前記被写体毎の撮影時間を、前記複数の撮影室に対応して割り付けた際に、終了時刻が最も早くなる組み合わせに基づいて各前記被写体が入るべき撮影室を特定することを特徴とする放射線画像撮影システム。
【発明の詳細な説明】
【技術分野】
【０００１】
本発明は、撮影装置を用いて被写体（放射線撮影を受ける人であって、患者や健常者を含む。以下同じ。）の放射線画像情報を取得する放射線画像撮影システムに関し、例えばそれぞれ撮影装置が設置された複数の撮影室に対応した放射線画像撮影システムに関する。
【背景技術】
【０００２】
近時、複数の撮影装置を１つの処理装置で制御、処理する放射線画像撮影システムが提案されている（例えば特許文献１及び２参照）。
【０００３】
特許文献１記載のシステムは、ＦＰＤＩＤを発行し、そのＩＤに撮影オーダ情報（撮影する患者の氏名、性別等の患者に関する情報（患者情報）、撮影部位、撮影方法、撮影室等の撮影に関する情報（撮影情報））を振り分け、振り分けた撮影オーダ情報から撮影準備に必要な撮影準備情報（検査ＩＤ、患者名、撮影室、撮影装置等）を抽出し、ＦＰＤＩＤとともにＦＰＤに送信して記憶、表示させるようにしている。また、撮影装置は、挿入されたＦＰＤからＦＰＤＩＤを取得し、そのＦＰＤＩＤに基づき、情報管理装置から撮影オーダ情報を取得し、表示部に表示させる。撮影技師は、表示された撮影オーダ情報から、所望の撮影オーダ情報を選択するようにしている。
【０００４】
特許文献２記載のシステムは、複数種のＸ線画像出力装置を１つの制御装置で制御し、１つの制御装置は、複数のＸ線画像出力装置をＩＤ番号等によって管理するようにしている。そして、１つのＸ線管が選択されると、そのＸ線管を特定する情報が制御装置に報告され、制御装置は、報告されたＸ線管に対応するＸ線画像出力装置を自動的に選択する。制御装置でＸ線画像出力装置の１つを選択すると、選択されたＸ線画像出力装置に対応するＸ線管が自動的に選択されるようになっている。これにより、システムを低コストで容易に構築又は拡張することができる。
【０００５】
【特許文献１】特開２００５−１６０７６４号公報
【特許文献２】特開２００６−１２２７２２号公報
【発明の開示】
【発明が解決しようとする課題】
【０００６】
しかしながら、従来のシステムは、複数の撮影装置を１つの処理装置で制御、処理する放射線画像撮影システムであって、それぞれ撮影装置が設置された複数の撮影室に対応したシステムの課題については何ら考慮されていない。
【０００７】
すなわち、引用文献１や２のように、撮影装置に着目してしまうと、稼動していない撮影装置が設置された撮影室に被写体を導いたとき、前の被写体が衣服を着衣している最中であったという不都合な事態が生じるおそれがある。そこで、次の被写体が撮影室に入る条件として、撮影装置が稼動していないことではなく、前の被写体が退室していることが必要であり、特許文献１及び２は、この条件について何ら考慮していない。
【０００８】
本発明はこのような課題を考慮してなされたものであり、被写体の衣服の脱衣時間と着衣時間の合計である脱着時間を考慮し、被写体が入るべき撮影室を自動的に特定することができ、スムーズに被写体を撮影室に導くことができる放射線画像撮影システムを提供することを目的とする。
【０００９】
また、本発明の他の目的は、被写体の衣服の脱衣時間と着衣時間の合計である脱着時間を考慮しつつ、全撮影室を含めたトータル撮影時間の短縮を図ることができる放射線画像撮影システムを提供することにある。
【課題を解決するための手段】
【００１０】
本発明に係る放射線画像撮影システムは、放射線源を制御し、被写体の放射線画像情報を取得する撮影装置がそれぞれ設置された複数の撮影室と、
各前記撮影室におけるそれぞれの前記撮影装置を、対応する撮影条件に基づいて制御し、各前記撮影装置にて取得した放射線画像情報を処理する処理装置とを有する放射線画像撮影システムであって、
前記処理装置は、
前記被写体が前記撮影室に入室する時点から前記撮影室から退室する時点までの撮影時間を、少なくとも前記被写体に対応する前記撮影条件に基づいて予測する撮影時間予測部と、
予測された前記被写体の撮影時間に基づいて、前記被写体が入るべき撮影室を特定する被写体割付部とを有することを特徴とする。
【発明の効果】
【００１１】
以上説明したように、本発明に係る放射線画像撮影システムによれば、被写体の衣服の脱衣時間と着衣時間の合計である脱着時間を考慮し、被写体が入るべき撮影室を特定することができ、スムーズに被写体を撮影室に導くことができる。また、被写体の衣服の脱衣時間と着衣時間の合計である脱着時間を考慮しつつ、全撮影室を含めたトータル撮影時間の短縮を図ることができる。
【発明を実施するための最良の形態】
【００１２】
以下、本発明に係る放射線画像撮影システムの実施の形態例を図１〜図１２を参照しながら説明する。
【００１３】
本実施の形態の放射線画像撮影システム１０は、図１に示すように、病院内の医療事務処理を管理する医事情報システム１２（ＨＩＳ：Ｈｏｓｐｉｔａｌ  Ｉｎｆｏｒｍａｔｉｏｎ  Ｓｙｓｔｅｍ）と、ＨＩＳ１２の管理下において、放射線科での放射線画像の撮影処理を管理する放射線科情報システム１４（ＲＩＳ：Ｒａｄｉｏｌｏｇｙ  Ｉｎｆｏｒｍａｔｉｏｎ  Ｓｙｓｔｅｍ）（供給装置）と、医師による診断読影を行うためのビューア１６と、放射線科の例えば４つの撮影室（第１撮影室１８ａ〜第４撮影室１８ｄ：図６参照）にそれぞれ設置された仕様形態の異なる第１撮影装置２０ａ〜第４撮影装置２０ｄと、放射線科の第１撮影室１８ａ〜第４撮影室１８ｄに隣接する処理室２２（図６参照）に設置され、第１撮影装置２０ａ〜第４撮影装置２０ｄを集中管理制御するコンソール２４（処理装置）と、第１撮影装置２０ａ〜第４撮影装置２０ｄの各放射線源を駆動するための第１操作ユニット２６ａ〜第４操作ユニット２６ｄと、蓄積性蛍光体パネルＰに記録された放射線画像情報を読み取る読取装置２８と、データベース３０とを備え、これらが院内ネットワーク３２によって相互に接続されている。院内ネットワーク３２には、必要に応じてさらに他のコンソール、撮影装置等を接続することができる。
【００１４】
第１撮影装置２０ａは、例えば図２に示すように、立位の状態にある被写体３４の放射線画像情報を取得するための撮影台３６と、第１放射線源３８ａと、第１操作ユニット２６ａからの曝射信号に従って第１放射線源３８ａを駆動制御する第１線源制御ユニット４０ａとを備える。撮影台３６には、放射線を直接電気信号に変換する固体放射線検出素子からなる放射線変換パネルＤが内蔵される。
【００１５】
放射線変換パネルＤは、図３に示すように、放射線を感知して電荷を発生させるアモルファスセレン（ａ−Ｓｅ）等の物質からなる光電変換層４２を行列状の薄膜トランジスタ（ＴＦＴ：Ｔｈｉｎ  Ｆｉｌｍ  Ｔｒａｎｓｉｓｔｏｒ）４４のアレイの上に配置した構造を有し、発生した電荷を蓄積容量４６に蓄積した後、各行毎にＴＦＴ４４を順次オンにして、電荷を画像信号として読み出す。図３では、光電変換層４２及び蓄積容量４６からなる１つの画素４８と１つのＴＦＴ４４との接続関係のみを示し、その他の画素４８の構成については省略している。なお、アモルファスセレンは、高温になると構造が変化して機能が低下してしまうため、所定の温度範囲内で使用する必要がある。従って、撮影台３６内に放射線変換パネルＤを冷却する手段を配設することが好ましい。
【００１６】
各画素４８に接続されるＴＦＴ４４には、行方向と平行に延びるゲート線５０と、列方向と平行に延びる信号線５２とが接続される。各ゲート線５０は、ライン走査駆動部５４に接続され、各信号線５２は、読取回路を構成するマルチプレクサ５６に接続される。
【００１７】
ゲート線５０には、行方向に配列されたＴＦＴ４４をオンオフ制御する制御信号Ｖｏｎ、Ｖｏｆｆがライン走査駆動部５４から供給される。この場合、ライン走査駆動部５４は、ゲート線５０を切り替える複数のスイッチＳＷ１と、スイッチＳＷ１の１つを選択する選択信号を出力するアドレスデコーダ５８とを備える。アドレスデコーダ５８には、制御部６０からアドレス信号が供給される。
【００１８】
また、信号線５２には、列方向に配列されたＴＦＴ４４を介して各画素４８の蓄積容量４６に保持されている電荷が流出する。この電荷は、増幅器６２によって増幅される。増幅器６２には、サンプルホールド回路６４を介してマルチプレクサ５６が接続される。マルチプレクサ５６は、信号線５２を切り替える複数のスイッチＳＷ２と、スイッチＳＷ２の１つを選択する選択信号を出力するアドレスデコーダ６６を備える。アドレスデコーダ６６には、制御部６０からアドレス信号が供給される。マルチプレクサ５６には、Ａ／Ｄ変換器６８が接続され、Ａ／Ｄ変換器６８によってデジタル信号に変換された放射線画像情報が制御部６０に供給される。制御部６０は、取得した放射線画像情報を院内ネットワーク３２を介してコンソール２４及び第１操作ユニット２６ａに供給する。
【００１９】
次に、第２撮影装置２０ｂは、臥位の状態にある被写体３４の放射線画像情報を取得するための撮影台７０と、第２放射線源３８ｂと、第２操作ユニット２６ｂからの曝射信号に従って第２放射線源３８ｂを駆動制御する第２線源制御ユニット４０ｂとを備える。撮影台７０は、蓄積性蛍光体パネルＰを収納したカセッテ７４が装填されるスロット７６を有する。
【００２０】
蓄積性蛍光体パネルＰは、照射された放射線のエネルギを蓄積する蓄積性蛍光体層を支持体上に形成したもので、励起光を照射することにより蓄積されたエネルギに応じた輝尽発光光を出力する一方、所定光量の消去光を照射することにより残存するエネルギを除去して再使用できるものである。
【００２１】
カセッテ７４は、蓄積性蛍光体パネルＰを蓋部材７８を介して収脱可能に収納するもので、その外面部には、内部に収納されている蓄積性蛍光体パネルＰを個別に識別するための固有番号、サイズ、感度等の識別情報が記録されたバーコード８０が装着される。バーコード８０は、コンソール２４に接続されたバーコードリーダ８２によって読み取ることができる。
【００２２】
第３撮影装置２０ｃや第４撮影装置２０ｄも、上述した第１撮影装置２０ａあるいは第２撮影装置２０ｂと同様の構成を採用することができる。
【００２３】
読取装置２８は、蓄積性蛍光体パネルＰに記録された放射線画像情報を読み取る装置であり、図４に示すように構成される。
【００２４】
読取装置２８は、ケーシング８４の上部に、カセッテ装填部８６が配設される。カセッテ装填部８６には、放射線画像情報が蓄積記録された蓄積性蛍光体パネルＰを収納したカセッテ７４が装填される。カセッテ装填部８６には、カセッテ７４に配設されたバーコード８０の識別情報を読み取るバーコードリーダ８８と、カセッテ７４の蓋部材７８のロックを解除するロック解除機構９０と、蓋部材７８が開蓋されたカセッテ７４から蓄積性蛍光体パネルＰを吸着して取り出す吸着盤９２と、吸着盤９２によって取り出された蓄積性蛍光体パネルＰを挟持搬送するニップローラ９４とが配設される。
【００２５】
ニップローラ９４に連設して、複数の搬送ローラ９４ａ〜９４ｇ及び複数のガイド板９６ａ〜９６ｆが配設され、これらにより湾曲搬送路９８が構成される。湾曲搬送路９８は、カセッテ装填部８６から下方向に延在した後、最下部において略水平状態となり、次いで、略鉛直上方向に延在する。これにより、読取装置２８の小型化が達成される。
【００２６】
ニップローラ９４と搬送ローラ９４ａとの間には、読取処理が終了した蓄積性蛍光体パネルＰに残存する放射線画像情報を消去するための消去部１００が配設される。消去部１００は、消去光を出力する冷陰極管等の消去光源１０２を有する。
【００２７】
湾曲搬送路９８の最下部に配設される搬送ローラ９４ｄ、９４ｅ間には、プラテンローラ１０４が配設される。そして、プラテンローラ１０４の上部には、蓄積性蛍光体パネルＰに蓄積記録された放射線画像情報を読み取る走査ユニット１０６が配設される。
【００２８】
走査ユニット１０６は、励起光であるレーザビームＬＢを導出して蓄積性蛍光体パネルＰを走査する励起部１０８と、レーザビームＬＢによって励起されて出力される放射線画像情報に係る輝尽発光光を読み取る読取部１１０とを備える。
【００２９】
読取部１１０は、一端部がプラテンローラ１０４上の蓄積性蛍光体パネルＰに近接して配置される集光ガイド１１２と、集光ガイド１１２の他端部に連結され、蓄積性蛍光体パネルＰから得られた輝尽発光光を電気信号に変換するフォトマルチプライヤ１１４とを備える。フォトマルチプライヤ１１４によって読み取られた放射線画像情報は、院内ネットワーク３２を介してコンソール２４及び第２操作ユニット２６ｂに供給される。
【００３０】
図５は、図示を簡単にするために、コンソール２４、第１撮影装置２０ａ〜第４撮影装置２０ｄ、第１操作ユニット２６ａ〜第４操作ユニット２６ｄを中心とする制御ブロック図を示す。
【００３１】
コンソール２４は、ＨＩＳ１２を用いて設定した被写体の氏名、性別、年齢等の患者情報、ＲＩＳ１４を用いて医師が設定した当該被写体に対する放射線画像情報の撮影方法、撮影部位、使用する撮影装置、使用する撮影装置を構成する放射線源に設定する管電圧、管電流、放射線の曝射時間等の曝射条件を含む撮影条件を院内ネットワーク３２を介して取得するとともに、撮影条件の変更、設定を行う撮影条件設定部１１６と、第１撮影装置２０ａ〜第４撮影装置２０ｄを制御する制御部１１８と、第１撮影装置２０ａ〜第４撮影装置２０ｄにより取得した放射線画像情報に対する画像処理を行う画像処理部１２０と、撮影条件設定部１１６で設定された撮影条件を含む撮影メニューを表示すると共に、画像処理された放射線画像情報を表示する表示部１２２とを備える。
【００３２】
第１操作ユニット２６ａ〜第４操作ユニット２６ｄは、制御部１２４と、第１撮影装置２０ａ〜第４撮影装置２０ｄの第１線源制御ユニット４０ａ及び第２線源制御ユニット４０ｂに設定される撮影条件の変更、設定を行う設定部１２６と、第１放射線源３８ａ及び第２放射線源３８ｂに対して曝射信号を出力する曝射スイッチ１２８と、設定された撮影条件を含む撮影メニューを表示するとともに、第１撮影装置２０ａ〜第４撮影装置２０ｄにより取得した放射線画像情報のプレビュー画像を表示する表示部１３０とを備える。
【００３３】
図６は、本実施の形態に係る放射線画像撮影システム１０を例えば病院内に設置するレイアウトの一例を示したものである。
【００３４】
病院内に１つの区画２００が設置され、該１つの区画２００は、撮影区画２０２とコ字状の待合区画２０４に分けられ、放射線画像撮影システム１０は撮影区画２０２に設置される。
【００３５】
撮影区画２０２のうち、待合区画２０４と接する面には、待ち時間等を表示するための電光掲示板２０６が設置される。
【００３６】
放射線画像撮影システム１０は、コンソール２４及び読取装置２８が設置される処理室２２と、第１撮影装置２０ａ〜第４撮影装置２０ｄが設置される第１撮影室１８ａ〜第４撮影室１８ｄとを有する。
【００３７】
処理室２２と第１撮影室１８ａ〜第４撮影室１８ｄは、放射線を遮断することのできる隔壁１４０によって分離されており、処理室２２と第１撮影室１８ａ〜第４撮影室１８ｄとの間には、技師が出入りする第１技師用ドア１４２ａ〜第４技師用ドア１４２ｄが設けられる。技師は１人でもよいが、例えば大病院で、多数の被写体３４が待合区画で待つような場合は、コンソール２４を操作する技師と、第１撮影室１８ａ〜第４撮影室１８ｄに対応して４人の技師の合計５人の技師で操作するようにしてもよいし、２人〜４人の技師で操作するようにしてもよい。
【００３８】
また、第１撮影室１８ａ〜第４撮影室１８ｄと待合区画２０４との間には、被写体３４が出入りする第１被写体用ドア１４４ａ〜第４被写体用ドア１４４ｄが設けられる。さらに、第１撮影室１８ａ〜第４撮影室１８ｄ内には、被写体３４が衣服を脱衣・着衣（脱着）するための第１更衣室１４６ａ〜第４更衣室１４６ｄが設けられる。一方、処理室２２側には、第１撮影室１８ａ〜第４撮影室１８ｄにそれぞれ設置された第１撮影装置２０ａ〜第４撮影装置２０ｄを操作するための第１操作ユニット２６ａ〜第４操作ユニット２６ｄが配設される。
【００３９】
また、この放射線画像撮影システム１０は、第１被写体用ドア１４４ａ〜第４被写体用ドア１４４ｄの各近傍に設けられ、少なくとも被写体３４の第１撮影室１８ａ〜第４撮影室１８ｄへの入退室を検知する第１センサ２０８ａ〜第４センサ２０８ｄと、第１更衣室１４６ａ〜第４更衣室１４６ｄの各近傍に設けられ、少なくとも第１更衣室１４６ａ〜第４更衣室１４６ｄにて脱衣（更衣）した被写体３４の入退室を検知する第５センサ２１０ａ〜第８センサ２１０ｄと、少なくとも空白時間（被写体３４を呼び出してから被写体３４が撮影室に入るまでの時間）を計時する第１タイマ２１２ａ〜第４タイマ２１２ｄと、少なくとも被写体３４の実際の脱衣時間、実際の正味撮影時間、実際の着衣時間を計時する第５タイマ２１４ａ〜第８タイマ２１４ｄが設けられている。撮影区画２０２のうち、待合区画２０４と接する部分の所定箇所（例えば３箇所）にスピーカ２１６が設置される。
【００４０】
なお、レイアウトによっては、例えば第１更衣室１４６ａのドア（呼び出しを受けた被写体３４が第１更衣室１４６ａに入るためのドア）と第１撮影室１８ａの第１被写体用ドア１４４ａ（撮影を終えた被写体３４が第１撮影室１８ａから出るためのドア）とが併設される場合がある。このような場合、第１更衣室１４６ａには、第１撮影室１８ａ内にもドア（脱衣した被写体３４が出入りするドア）が設置される。そのため、第１センサ２０８ａとしては、呼び出しを受けた被写体３４と、撮影を終えた被写体３４とを区別して検知するセンサであることが好ましい。あるいは、第１センサ２０８ａとは別に、第１更衣室１４６ａのドアの近傍に呼び出しを受けた被写体３４を検知するためのセンサを設置してもよい。
【００４１】
コンソール２４には、被写体３４を撮影室に呼び出す（導く）ために使用されるマイク２１８と、電光掲示板２０６を表示制御するための表示コントローラ２２０とが設置されている。表示コントローラ２２０には、第１撮影室１８ａ〜第４撮影室１８ｄに対応して、第１スイッチ２２２ａ〜第４スイッチ２２２ｄ（図８参照）が設置されている。
【００４２】
なお、図６の図示内容が複雑になるのを避けるため、電光掲示板、第１センサ２０８ａ〜第４センサ２０８ｄ、第５センサ２１０ａ〜第８センサ２１０ｄ等への配線は省略して示す。
【００４３】
電光掲示板２０６には、図７に示すように、第１撮影室１８ａ〜第４撮影室１８ｄに対応して４つの表示区画２２４ａ〜２２４ｄを有し、各表示区画２２４ａ〜２２４ｄには、撮影予定の被写体３４の番号（被写体３４が受付で受け取った番号札に印刷された番号）と撮影開始予定時刻と撮影終了予定時刻が時系列で表示されるようになっている。
【００４４】
そして、例えば第１撮影室１８ａでの撮影が終了して、被写体３４が第１撮影室１８ａから退室した後に、技師が表示コントローラ２２０の第１スイッチ２２２ａをオン操作することで、次に第１撮影室１８ａで撮影が行われる予定の被写体３４の番号が例えば点滅表示されることになる。もちろん、第１スイッチ２２２ａのオン操作と共に、マイク２１８で該被写体３４に対する呼び出しが行われることになる。呼び出しを受けた被写体３４は、電光掲示板２０６を確認することで、自分の番であることと、第１撮影室１８ａに入ればよいことを迅速に認識できることとなる。
【００４５】
また、コンソール２４は、図８に示すように、撮影時間予測部２２６と、被写体割付部２２８と、各種パラメータが格納されたデータメモリ２３０とを有する。
【００４６】
撮影時間予測部２２６は、被写体３４が撮影室に入室する時点から撮影室から退室する時点までの撮影時間Ｔ（図９参照）を、少なくとも被写体３４に対応する撮影条件に基づいて予測するという処理を行い、被写体割付部２２８は、予測された被写体３４の撮影時間Ｔに基づいて、被写体３４が入るべき撮影室を特定するという処理を行う。
【００４７】
撮影時間予測部２２６は、第１予測部２３２と第２予測部２３４とを有する。
【００４８】
第１予測部２３２は、撮影時間Ｔを、データベース３０の撮影時間履歴テーブル２３６との照合によって予測する。具体的には、コンソール２４に供給された撮影指示情報（撮影条件等が含まれた情報）から被写体３４のＩＤ番号と撮影部位を抽出して、データベース３０に登録されている撮影時間履歴テーブル２３６と照合する。撮影時間履歴テーブル２３６は、被写体のＩＤ番号毎に設定された情報ファイル２３８を有し、各情報ファイル２３８は、先頭番地に被写体３４のＩＤ番号が登録され、その後ろに撮影部位毎の撮影時間Ｔが登録されている。従って、第１予測部２３２は、被写体３４のＩＤ番号に基づいて該当する情報ファイル２３８を検索する。該当する情報ファイル２３８が存在し、当該情報ファイル２３８に今回撮影する撮影部位と一致する撮影部位についての撮影時間Ｔが登録されていれば、それを撮影時間Ｔとする。被写体３４のＩＤ番号に対応する情報ファイル２３８がなく、あるいは対応する情報ファイル２３８があったとしても、今回の撮影部位と一致する撮影部位の情報が存在していなければ、第２予測部２３４によって撮影時間Ｔを予測する。
【００４９】
第２予測部２３４は、被写体３４の少なくとも撮影部位に基づいて正味撮影時間Ｔａ（図９参照）を予測する正味撮影時間予測部２４０と、少なくとも被写体３４の年齢、性別、身体状態のうち、１つ以上の情報と、撮影枚数とに基づいて正味撮影時間Ｔａを補正して補正正味撮影時間ｈＴａとする正味撮影時間補正部２４２と、少なくとも被写体３４の年齢、性別、身体状態のうち、１つ以上の情報に基づいて、被写体３４の衣服の脱衣時間Ｔｂ（図９参照）と着衣時間Ｔｃ（図９参照）の合計である脱着時間Ｔｄを予測する脱着時間予測部２４４と、少なくとも被写体３４の年齢、性別、身体状態のうち、１つ以上の情報に基づいて脱着時間を補正して補正脱着時間ｈＴｄとする脱着時間補正部２４６とを有する。
【００５０】
撮影時間Ｔは、図９に示すように、補正正味撮影時間ｈＴａと、補正脱着時間ｈＴｄとの合計となるが、必要があれば、被写体３４が呼び出しを受けて撮影室に入室するまでの時間（いわゆる空白時間Ｔｅ）も加算される。なお、正味撮影時間Ｔａとは、被写体３４が、技師の誘導に従って撮影装置に対してポジショニングを行い、実際に撮影を行った時間を指すもので、上述した脱着時間Ｔｄや空白時間Ｔｅ等は含まない。
【００５１】
また、図８に示すように、データメモリ２３０には、第１情報テーブル２４８ａ、第２情報テーブル２４８ｂ、第１補正係数テーブル２５０ａ及び第２補正係数テーブル２５０ｂが記憶されている。
【００５２】
第１情報テーブル２４８ａには、様々な撮影部位に対応した一般的な正味撮影時間Ｔａ（例えば成年男性を対象とした正味撮影時間）が登録されている。
【００５３】
第２情報テーブル２４８ｂには、様々な撮影部位に対応した一般的な脱着時間Ｔｄ（例えば成年男性を対象とした脱着時間）が登録されている。例えば腕の撮影の場合は、袖をめくるだけでよいため、脱着時間Ｔｄは短い。それに対して、脚部や胸部の撮影の場合は、身体からの衣服の脱衣・着衣が必要になることから、脱着時間Ｔｄは長くなる。このように、撮影部位に対応した脱着時間Ｔｄの違いが第２情報テーブル２４８ｂに反映されて登録されている。
【００５４】
第１補正係数テーブル２５０ａには、撮影部位に応じた補正係数と、年齢に応じた補正係数と、身体状態に応じた補正係数が登録されている。通常、胸部撮影の場合は、学校や職場での身体検査等で撮り慣れており、ポジショニングも迅速に行うことができるが、普段撮影しない腰部等では技師の誘導があってもポジショニングが難しく時間がかかる場合がある。そこで、腰部等の通常撮り慣れていない撮影部位であれば、例えば１．１５〜１．７５という補正係数が割り当てられる。同様に、成年と比して高齢者や若年者は、すばやくポジショニングすることができないことから、この場合も、例えば１．１５〜１．７５という補正係数が割り当てられる。また、松葉杖や車椅子等を使っている場合も、すばやくポジショニングすることができないことから、この場合も、例えば１．１５〜２．７５という補正係数が割り当てられる。
【００５５】
従って、正味撮影時間予測部２４０は、第１情報テーブル２４８ａから、撮影指示情報に含まれる撮影部位に対応した正味撮影時間Ｔａを読み出すことになるが、正味撮影時間補正部２４２は、撮影指示情報に含まれる撮影部位と年齢の情報に基づいて第１補正係数テーブル２５０ａから撮影部位に応じた補正係数と年齢に応じた補正係数を読み出し、また、コンソール２４の撮影条件設定部１１６（図５参照）によって被写体３４の身体状態が設定されていれば、その身体状態に関する情報に基づいて、第１補正係数テーブル２５０ａから身体状態に応じた補正係数を読み出す。そして、これら読み出した補正係数と撮影枚数を正味撮影時間Ｔａに乗算して補正正味撮影時間ｈＴａとする。
【００５６】
一方、第２補正係数テーブル２５０ｂには、年齢に応じた補正係数と、性別に応じた補正係数と、身体状態に応じた補正係数が登録されている。通常、成年と比して高齢者や若年者は、すばやく衣服を脱衣・着衣することができないことから、例えば１．１５〜１．７５という補正係数が割り当てられる。また、松葉杖や車椅子等を使っている場合も、すばやく衣服を脱衣・着衣することができないことから、この場合も、例えば１．１５〜２．７５という補正係数が割り当てられる。また、女性は、衣服の脱衣・着衣を丁寧に行い、アクセサリーを付けている場合も多く、脱着時間が男性よりも長くなることから、例えば１．１５〜１．７５という補正係数が割り当てられる。
【００５７】
従って、脱着時間予測部２４４は、第２情報テーブル２４８ｂから、撮影指示情報に含まれる撮影部位に対応した脱着時間Ｔｄを読み出すことになるが、脱着時間補正部２４６は、撮影指示情報に含まれる年齢の情報と性別の情報に基づいて第２補正係数テーブル２５０ｂから年齢に応じた補正係数と性別に応じた補正係数を読み出し、また、コンソール２４の撮影条件設定部１１６によって被写体の身体状態が設定されていれば、その身体状態に関する情報に基づいて、第２補正係数テーブル２５０ｂから身体状態に応じた補正係数を読み出す。そして、これら読み出した補正係数を脱着時間Ｔｄに乗じて補正脱着時間ｈＴｄとする。
【００５８】
そして、第２予測部２３４は、正味撮影時間補正部２４２にて求められた補正正味撮影時間ｈＴａと脱着時間補正部２４６にて求められた補正脱着時間ｈＴｄを合計して撮影時間Ｔとする。
【００５９】
また、第２予測部２３４は、データベース３０にアクセスして、当該被写体３４が新規の被写体３４であれば、撮影時間履歴テーブル２３６に新たに情報ファイル２３８を設定し、上述のようにして求められた当該被写体３４の撮影部位に対応する撮影時間Ｔを、新規情報として、新たな情報ファイル２３８に登録する。すでに登録されている被写体３４であれば、新規の撮影部位に対応した撮影時間Ｔとして、該被写体３４に対応する情報ファイル２３８に登録する。これにより、今後、同一の被写体３４で同一の撮影部位であれば、第２予測部２３４での演算を経ることなく、第１予測部２３２を介してデータベース３０から該撮影部位に対応した撮影時間Ｔが読み出されることになることから、演算処理の高速化を図ることができる。
【００６０】
また、撮影時間予測部２２６は、上述した一連の動作を、各被写体３４に対して行う。すなわち、院内ネットワーク３２から順次供給される撮影指示情報に基づいて、それぞれ撮影指示情報に対応する被写体３４の撮影時間Ｔを予測する。
【００６１】
一方、被写体割付部２２８は、撮影時間予測部２２６にて演算された各被写体３４毎の撮影時間Ｔに基づいて、各被写体３４が入るべき撮影室を特定する。特定の仕方としては、ＲＩＳ１４に登録した順番に第１撮影室１８ａ、第２撮影室１８ｂ、第３撮影室１８ｃ、第４撮影室１８ｄと割り当てていく方法が考えられるが、図１０Ａに示すように、例えば１つの撮影室（例えば第１撮影室１８ａ）に撮影時間Ｔの長い複数の被写体３４が連続して特定されてしまい、他の撮影室での撮影が終了したにも拘わらず、第１撮影室１８ａでの撮影が終了せずに長時間にわたって被写体３４を待たせてしまうという不都合が生じる。また、技師を無駄に長時間拘束するという問題も生じる。
【００６２】
そこで、この特定に当たっては、予測された被写体３４毎の撮影時間Ｔを、複数の撮影室に対応して割り付けた際に、全体の撮影終了時刻が最も早くなる組み合わせに基づいて各被写体３４が入るべき撮影室を特定する。例えば図１０Ｂに示すように、撮影時間Ｔが長い被写体３４と撮影時間Ｔが短い被写体３４が組みになるようにして特定していく。このように割り当てることで、全体の終了時刻が１つの撮影室で大幅に律速される（遅くなる）ということがなくなり、効率よく撮影を行わせることができる。
【００６３】
また、被写体割付部２２８は、各被写体３４毎の撮影時間Ｔに基づいて、各被写体３４が入るべき撮影室を特定する際に、第１撮影室１８ａ〜第４撮影室１８ｄに対応した第１順番情報テーブル２５２ａ〜第４順番情報テーブル２５２ｄを作成する。これら第１順番情報テーブル２５２ａ〜第４順番情報テーブル２５２ｄには、撮影順に並べられた被写体３４のＩＤ番号及び番号札の番号と、各被写体３４の撮影時間Ｔに基づいて演算された撮影開始予定時刻と撮影終了予定時刻の情報がそれぞれ被写体３４に対応して登録されるようになっている。
【００６４】
作成された第１順番情報テーブル２５２ａ〜第４順番情報テーブル２５２ｄは、表示コントローラ２２０に供給される。
【００６５】
表示コントローラ２２０は、供給された第１順番情報テーブル２５２ａ〜第４順番情報テーブル２５２ｄに基づいて、電光掲示板２０６に表示すべき内容を編集し、図７に示すように、撮影予定の被写体３４の番号（番号札の番号）と撮影開始予定時刻と撮影終了予定時刻が時系列で表示する。
【００６６】
さらに、本実施の形態においては、脱着時間補正部２４６に２つの補正機能を持たせるようにしている。
【００６７】
すなわち、脱着時間補正部２４６は、補正脱着時間ｈＴｄを、被写体３４を呼び出した時点から該被写体３４が対応する撮影室に入室する時点までの時間（いわゆる空白時間Ｔｅ）に基づいて補正して新たな補正脱着時間ｈＴｄとする第１補正部２５４ａと、補正脱着時間ｈＴｄを、該被写体３４の実際の脱衣時間ｒＴｂ（図９参照）に基づいて補正して新たな補正脱着時間ｈＴｄとする第２補正部２５４ｂとを有する。
【００６８】
空白時間Ｔｅとしては、通常、３０秒程度を想定しているが、被写体３４の年齢や身体状態によっては、１分、２分と時間がかかる場合が少なくない。そこで、第１補正部２５４ａは、実際にかかった空白時間ｒＴｅと一般的な空白時間Ｔｅとの差を補正脱着時間ｈＴｄに加算して補正脱着時間ｈＴｄとする。実際にかかった空白時間ｒＴｅが一般的な空白時間Ｔｅよりも短い場合は、補正脱着時間ｈＴｄもその分短くなる。
【００６９】
実際の空白時間ｒＴｅの検出は以下のように行われる。表示コントローラ２２０の第１スイッチ２２２ａ〜第４スイッチ２２２ｄからの各オン信号は電光掲示板２０６に供給されると共に、対応する第１タイマ２１２ａ〜第４タイマ２１２ｄにも供給されるようになっている。
【００７０】
従って、例えば第１撮影室１８ａに被写体３４を導く場合、技師が表示コントローラ２２０の第１スイッチ２２２ａをオン操作すると共に、マイク２１８で該被写体３４に対する呼び出しが行われることになるが、第１スイッチ２２２ａのオン信号が第１タイマ２１２ａに供給された段階で、第１タイマ２１２ａでの計時が開始され、第１撮影室１８ａに被写体３４が入室したことを第１センサ２０８ａにて検知した段階で、第１タイマ２１２ａでの計時が終了する。つまり、第１タイマ２１２ａにおいて、被写体３４を呼び出した時点から該被写体３４が対応する撮影室（この例では、第１撮影室１８ａ）に入室する時点までの時間（実際の空白時間ｒＴｅ）が計時されることになる。そして、第１タイマ２１２ａは、計時が終了した時点でその計時情報を第１補正部２５４ａに供給する。この時点で第１タイマ２１２ａでの計時情報はリセットされる。第１補正部２５４ａは、供給された計時情報が示す時間（実施の空白時間ｒＴｅ）と一般的な空白時間Ｔｅとの差を演算して、その値（正負の符号を含めた値）を例えば図示しないレジスタに格納する。
【００７１】
また、脱衣時間が長ければ、一般に、実際の着衣時間も長くなる。そこで、第２補正部２５４ｂは、実際にかかった脱衣時間ｒＴｂの２倍の時間（脱着予測時間ａＴｄ）が、補正脱着時間ｈＴｄよりも長ければ、脱着予測時間ａＴｄを補正脱着時間ｈＴｄとする。
【００７２】
実際の脱衣時間ｒＴｂの検出は以下のように行われる。例えば第１撮影室１８ａに被写体３４が入室したことを第１センサ２０８ａにて検知した段階で、第５タイマ２１４ａでの計時が開始され、被写体３４が第１更衣室１４６ａから退室したことを第５センサ２１０ａにて検知した段階で、第５タイマ２１４ａでの計時が終了する。つまり、第５タイマ２１４ａにおいて、被写体３４の実際の脱衣時間ｒＴｂが計時されることになる。そして、第５タイマ２１４ａは、計時が終了した時点でその計時情報を第２補正部２５４ｂに供給する。この時点で第５タイマ２１４ａでの計時情報はリセットされる。第２補正部２５４ｂは、供給された計時情報が示す時間（実際の脱衣時間ｒＴｂ）の２倍の時間（脱着予測時間ａＴｄ）と補正脱着時間ｈＴｄとを比較して、脱着予測時間ａＴｄが補正脱着時間ｈＴｄよりも長ければ、脱着予測時間ａＴｄを補正脱着時間ｈＴｄとする。
【００７３】
第２補正部２５４ｂからの補正脱着時間ｈＴｄは、第１補正部２５４ａに供給される。第１補正部２５４ａは、レジスタに格納されている値を補正脱着時間ｈＴｄに加算して、実際にかかった空白時間ｒＴｅを反映させる。
【００７４】
そして、第２予測部２３４は、正味撮影時間補正部２４２にて求められた補正正味撮影時間ｈＴａと脱着時間補正部２４６の第１補正部２５４ａ及び第２補正部２５４ｂにて求められた新たな補正脱着時間ｈＴｄを合計して新たな撮影時間Ｔとする。もちろん、この新たな撮影時間Ｔはデータベース３０の撮影時間履歴テーブル２３６に反映される。
【００７５】
上述の例では、新規の被写体３４並びに新規の撮影部位について、第２予測部２３４にて予測された撮影時間Ｔを撮影時間履歴テーブル２３６に登録するようにしたが、その他、図１２に示すように、実績値登録部２６０によって、予測ではない撮影時間Ｔの実績値、脱着時間Ｔｄの実績値、正味撮影時間Ｔａの実績値を撮影時間履歴テーブル２３６に登録するようにしてもよい。
【００７６】
すなわち、被写体３４が第１撮影室１８ａ（又は第１更衣室１４６ａ）に入室した時点から、被写体３４が第１更衣室１４６ａで脱衣し、第１更衣室１４６ａから退室した時点までの時間（脱衣時間Ｔｂの実績値）が第５タイマ２１４ａにて計時されてその計時情報が実績値登録部２６０に供給される。また、脱衣した被写体３４が第１更衣室１４６ａから退室した時点から、実際に撮影を行って再び第１更衣室１４６ａに入室した時点までの時間（正味撮影時間Ｔａの実績値）が第５タイマ２１４ａにて計時されてその計時情報が実績値登録部２６０に供給される。さらに、被写体３４が第１更衣室１４６ａに入室した時点から、被写体３４が第１更衣室１４６ａで着衣し、第１更衣室１４６ａ（又は第１撮影室１８ａ）から退室した時点までの時間（着衣時間Ｔｃの実績値）が第５タイマ２１４ａにて計時されてその計時情報が実績値登録部２６０に供給される。
【００７７】
実績値登録部２６０は、例えば脱衣時間Ｔｂの実績値と着衣時間Ｔｃの実績値を合計して脱着時間Ｔｄの実績値を求め、さらに、脱着時間Ｔｄの実績値と正味撮影時間Ｔａの実績値を合計して撮影時間Ｔの実績値を求める。さらに、実績値登録部２６０は、データベース３０にアクセスして、当該被写体３４が新規の被写体３４であれば、撮影時間履歴テーブル２３６に新たに情報ファイル２３８を設定し、上述のようにして求められた当該被写体３４の撮影部位に対応する撮影時間Ｔの実績値と脱着時間Ｔｄの実績値（さらには正味撮影時間Ｔａの実績値）を、新規情報として、新たな情報ファイル２３８に登録する。
【００７８】
上述の例では、第１撮影室１８ａに関して述べたが、第２撮影室１８ｂ〜第４撮影室１８ｄにおいても同様である。
【００７９】
これら撮影時間Ｔ、正味撮影時間Ｔａ及び脱着時間Ｔｄの各実績値を、対応する放射線画像情報に関連付けて登録するようにしてもよい。この場合、ビューア１６に放射線画像情報を表示する際に、撮影時間Ｔや正味撮影時間Ｔａの各実績値を表示するようにしてもよい。
【００８０】
このような各種実績値を撮影時間履歴テーブル２３６に登録した場合、第１予測部２３２において、以下に示すような撮影時間Ｔ（今回の撮影時間Ｔ）の予測方法を好ましく採用することができる。
【００８１】
すなわち、今回の撮影時間Ｔに含まれる脱着時間Ｔｄを、今回の撮影時の季節を考慮して予測する。撮影時間履歴テーブル２３６に登録した際の季節が夏であって、今回の撮影時の季節が冬であれば、脱着時間Ｔｄの実績値に一定の時間を加算して今回の脱着時間Ｔｄとし、これに正味撮影時間Ｔａの実績値を加算して今回の撮影時間Ｔとする。同様に、撮影時間履歴テーブル２３６に登録した際の季節が冬であって、今回の撮影時の季節が夏であれば、脱着時間Ｔｄの実績値に一定の時間を減算して今回の脱着時間Ｔｄとし、これに正味撮影時間Ｔａの実績値を加算して今回の撮影時間Ｔとする。
【００８２】
また、被写体３４が骨折等の経過撮影であれば、例えば１週間に１回の割合で同一部位を撮影することから、回数を経るごとに、撮影準備やポジショニングにかかる時間等は短くなる。従って、撮影時間履歴テーブル２３６には、同一被写体３４に関する同一撮影部位について、１回目の撮影時間Ｔ（及び正味撮影時間Ｔａ）の実績値、２回目の撮影時間Ｔの実績値、３回目の撮影時間Ｔの実績値・・・というように、経過実績を順次記録することも好ましく採用される。
【００８３】
この場合、例えば今回が２回目の撮影であれば、その正味撮影時間Ｔａとして、１回目の正味撮影時間Ｔａ（撮影時間履歴テーブル２３６に登録されている正味撮影時間Ｔａの実績値）から該１回目の正味撮影時間Ｔａ（実績値）の２０％程度短くした時間とし、それを登録されている撮影時間Ｔの実績値を参照して今回の撮影時間Ｔ（２回目の撮影時間Ｔ）として予測する。同様に、３回目の撮影であれば、２回目の正味撮影時間Ｔａ（実績値）から該２回目の正味撮影時間Ｔａ（実績値）の２０％程度短くした時間とし、それを登録されている２回目の撮影時間Ｔの実績値を参照して今回の撮影時間Ｔ（３回目の撮影時間Ｔ）として予測する。もちろん、１回目の正味撮影時間Ｔａ（又は撮影時間Ｔ）と２回目の正味撮影時間Ｔａ（又は撮影時間Ｔ）との時間差から３回目の正味撮影時間Ｔａ（又は撮影時間Ｔ）を予測するようにしてもよいし、同様に、２回目の正味撮影時間Ｔａ（又は撮影時間Ｔ）と３回目の正味撮影時間Ｔａ（又は撮影時間Ｔ）との時間差から４回目の正味撮影時間Ｔａ（又は撮影時間Ｔ）を予測するようにしてもよい。
【００８４】
一方、被写体割付部２２８は、新たな撮影時間Ｔに基づいて第１順番情報テーブル２５２ａ〜第４順番情報テーブル２５２ｄを作成し直し、作成し直された第１順番情報テーブル２５２ａ〜第４順番情報テーブル２５２ｄは、表示コントローラ２２０に供給される。
【００８５】
表示コントローラ２２０は、供給された第１順番情報テーブル２５２ａ〜第４順番情報テーブル２５２ｄに基づいて、電光掲示板２０６に表示すべき内容を編集し、撮影予定の被写体の番号（番号札の番号）と撮影開始予定時刻と撮影終了予定時刻が時系列で表示する。
【００８６】
本実施の形態に係る放射線画像撮影システム１０は、基本的には以上のように構成されるものであり、次にその動作について説明する。
【００８７】
先ず、ＨＩＳ１２を用いて、患者の氏名、性別、年齢等の患者情報が設定され、次いで、医師は、当該患者情報に関連させて、放射線画像の撮影方法、撮影部位、撮影に使用する撮影装置、撮影装置を構成する放射線源に対する管電圧、管電流、放射線の曝射時間等の曝射条件を含む撮影条件を、ＲＩＳ１４を用いて設定する。ＨＩＳ１２及びＲＩＳ１４で設定されたこれらの撮影指示情報は、院内ネットワーク３２を介して、放射線科の処理室１３２に設置されたコンソール２４に送信される。コンソール２４は、送信された撮影指示情報を表示部１２２に表示する。
【００８８】
一方、処理室１３２に待機している技師は、コンソール２４の表示部１２２に表示された撮影指示情報を確認し、必要に応じて、撮影条件設定部１１６を用いて撮影条件の変更、設定を行う。例えば、技師は、医師が選択した撮影装置が使用中であったり、メンテナンス中であったりした場合、撮影条件設定部１１６を用いて使用可能な撮影装置に変更する。また、被写体３４の撮影部位に応じた管電圧、管電流、放射線の照射時間等の撮影条件の変更、設定を行う。
【００８９】
次に、コンソール２４での撮影時間予測部２２６、被写体割付部２２８及び表示コントローラ２２０での処理によって、図７に示すように、電光掲示板２０６に、撮影予定の被写体３４の番号（番号札の番号）と撮影開始予定時刻と撮影終了予定時刻が時系列で表示される。技師は、順番に被写体３４をマイク２１８等で呼び出して、例えば第１撮影室１８ａに被写体３４を誘導する。
【００９０】
誘導された被写体３４は、第１被写体用ドア１４４ａから第１撮影室１８ａに入り、第１更衣室１４６ａで着替えを行う。また、技師（呼び出しを行った技師とは異なってもよい）は、処理室１３２から第１技師用ドア１４２ａを介して第１撮影室１８ａに入り、第１撮影装置２０ａの撮影台３６の位置調整、被写体３４の撮影姿勢の調整等を行った後、処理室１３２に退出する。
【００９１】
一方、コンソール２４の制御部１１８は、選択された被写体３４に係る撮影条件を、第１撮影装置２０ａの第１線源制御ユニット４０ａ及び第１操作ユニット２６ａに送信する。第１線源制御ユニット４０ａには、撮影条件に基づき、第１放射線源３８ａに対する管電圧、管電流、放射線の曝射時間等の曝射条件が設定される。また、第１操作ユニット２６ａの表示部１３０には、図１１に示すように、撮影条件に基づき、患者名、撮影者、撮影日時等が表示されるとともに、撮影メニューである撮影部位の情報、管電圧、管電流、放射線の曝射時間等の曝射条件が表示される。
【００９２】
ここで、第１操作ユニット２６ａは、設定部１２６を有しており、技師は、この設定部１２６を用いて、撮影条件の変更、再設定を行うことができる。変更、再設定された撮影条件は、第１操作ユニット２６ａから第１撮影装置２０ａの第１線源制御ユニット４０ａに送信されて調整が行われる。また、第１操作ユニット２６ａで変更、再設定された撮影条件は、院内ネットワーク３２を介してコンソール２４に送信された後、第１操作ユニット２６ａで設定された撮影条件の変更処理が行われる。
【００９３】
なお、第１操作ユニット２６ａの表示部１３０において、ＲＩＳ１４等で設定された標準的な撮影条件と、技師によって変更された撮影条件、例えば、被写体３４の体厚、子供であるか否か、妊婦であるか否か等の撮影条件との差異を表示させることにより、技師による撮影条件の変更の適否を客観的に判断することが可能となる。また、被写体３４が妊婦である場合、撮影条件に関して、アラーム表示やアラーム音による注意喚起をするようにしてもよい。
【００９４】
技師は、第１操作ユニット２６ａの表示部１３０に表示された撮影条件を確認した後、放射線画像情報の撮影を開始する。技師が第１操作ユニット２６ａの曝射スイッチ１２８を押下すると、曝射信号が第１線源制御ユニット４０ａを介して第１放射線源３８ａに供給される。曝射信号が供給された第１放射線源３８ａは、第１線源制御ユニット４０ａに設定されている曝射条件に従って制御された放射線を出力し、被写体３４に照射する。
【００９５】
被写体３４を透過した放射線は、撮影台３６に収納されている放射線変換パネルＤに照射され、放射線画像情報が記録される。
【００９６】
放射線変換パネルＤ（図３）を構成する各画素４８の光電変換層４２は、入射した放射線を電気信号に変換し、その電気信号が蓄積容量４６に電荷として保持される。次いで、各蓄積容量４６に保持された被写体３４の放射線画像情報である電荷情報は、制御部６０からライン走査駆動部５４及びマルチプレクサ５６に供給されるアドレス信号に従って読み出される。
【００９７】
すなわち、ライン走査駆動部５４のアドレスデコーダ５８は、制御部６０から供給されるアドレス信号に従って選択信号を出力してスイッチＳＷ１の１つを選択し、対応するゲート線５０に接続されたＴＦＴ４４のゲートに制御信号Ｖｏｎを供給する。一方、マルチプレクサ５６のアドレスデコーダ６６は、制御部６０から供給されるアドレス信号に従って選択信号を出力してスイッチＳＷ２を順次切り替え、ライン走査駆動部５４によって選択されたゲート線５０に接続された各画素４８の蓄積容量４６に保持された電荷情報である放射線画像情報を信号線５２を介して順次読み出す。
【００９８】
放射線変換パネルＤの選択されたゲート線５０に接続された各画素４８の蓄積容量４６から読み出された放射線画像情報は、各増幅器６２によって増幅された後、各サンプルホールド回路６４によってサンプリングされ、マルチプレクサ５６を介してＡ／Ｄ変換器６８に供給され、デジタル信号に変換される。デジタル信号に変換された放射線画像情報は、制御部６０により院内ネットワーク３２を介してコンソール２４及び第１操作ユニット２６ａに送信される。
【００９９】
同様にして、ライン走査駆動部５４のアドレスデコーダ５８は、制御部６０から供給されるアドレス信号に従ってスイッチＳＷ１を順次切り替え、各ゲート線５０に接続されている各画素４８の蓄積容量４６に保持された電荷情報である放射線画像情報を信号線５２を介して読み出し、マルチプレクサ５６、Ａ／Ｄ変換器６８及び制御部６０を介してコンソール２４及び第１操作ユニット２６ａに送信される。
【０１００】
第１操作ユニット２６ａは、受信した放射線画像情報を表示部１３０に表示させる。この場合、技師は、第１操作ユニット２６ａの曝射スイッチ１２８を操作して放射線画像情報の撮影を行っており、コンソール２４まで移動することなく、第１操作ユニット２６ａの表示部１３０において、撮影された被写体３４の放射線画像情報のプレビュー画像を確認することができる。なお、プレビュー画像は、撮影条件を確認できる程度の解像度であればよい。
【０１０１】
プレビュー画像を確認し、取得した放射線画像情報が不適切であると判断したとき、技師は、第１操作ユニット２６ａの設定部１２６を用いて、その場で撮影条件を変更する。この場合、撮影姿勢や撮影部位の変更が不要であれば、被写体３４を煩わせることなく、曝射スイッチ１２８を操作して直ちに再撮影を行うことができる。再撮影によって取得した放射線画像情報は、同様にして、第１操作ユニット２６ａの表示部１３０に表示させて再度確認することができる。
【０１０２】
なお、再撮影された放射線画像情報を表示部１３０に表示する際、前回の撮影で取得した放射線画像情報及び撮影条件を同時に表示させるようにすれば、撮影条件を変更して取得した放射線画像情報が適切であるか否かをより正確に判断することが可能となる。
【０１０３】
取得した放射線画像情報が適切である場合、当該放射線画像情報は、第１撮影装置２０ａ又は第１操作ユニット２６ａからコンソール２４に送信され、画像処理部１２０で所望の画像処理が施された後、院内ネットワーク３２を介してビューア１６に送信される。医師は、ビューア１６に送信された放射線画像情報に基づき、必要な読影診断を行う。
【０１０４】
次に、被写体３４が第２撮影室１８ｂに導かれた場合について説明する。
【０１０５】
第２撮影室１８ｂの第２撮影装置２０ｂに接続された第２操作ユニット２６ｂの表示部１３０には、第１操作ユニット２６ａの場合と同様に、選択された被写体３４に係る撮影条件が表示される。技師（第１撮影室１８ａの技師や呼び出しを行った技師とは異なってもよい）は、第２操作ユニット２６ｂにおいて、撮影条件の変更、再設定を行うことができる。また、撮影条件は、第２操作ユニット２６ｂから第２撮影装置２０ｂの第２線源制御ユニット４０ｂに送信されて設定される。
【０１０６】
技師は、コンソール２４に接続されたバーコードリーダ８２を用いて、カセッテ７４に装着されたバーコード８０を読み取ることにより、カセッテ７４に収納されている蓄積性蛍光体パネルＰを識別するための固有番号、サイズ、感度等の識別情報を取得する。
【０１０７】
次いで、カセッテ７４を第２撮影装置２０ｂのスロット７６に装填した後、第２操作ユニット２６ｂの曝射スイッチ１２８を押下することにより、第２放射線源３８ｂから放射線が出力され、被写体３４に照射される。
【０１０８】
被写体３４を透過した放射線は、カセッテ７４に収納されている蓄積性蛍光体パネルＰに照射され、被写体３４の放射線画像情報が蓄積記録される。
【０１０９】
放射線画像情報が記録された蓄積性蛍光体パネルＰを収納するカセッテ７４は、第２撮影装置２０ｂから抜き取られた後、読取装置２８のカセッテ装填部８６に装填される。カセッテ７４が装填されると、カセッテ装填部８６に配設されているバーコードリーダ８８がカセッテ７４に装着されたバーコード８０を読み取り、蓄積性蛍光体パネルＰの固有番号、サイズ、感度等の識別情報を取得する。取得した識別情報は、コンソール２４に接続されたバーコードリーダ８２によって取得した識別情報と照合されることで、被写体３４と放射線画像情報との対応関係が確認される。
【０１１０】
識別情報が読み取られると、ロック解除機構９０が駆動され、蓋部材７８のロック状態が解除されて開蓋される。次いで、吸着盤９２が蓄積性蛍光体パネルＰを吸着し、カセッテ７４から蓄積性蛍光体パネルＰを取り出してニップローラ９４間に供給する。ニップローラ９４により挟持された蓄積性蛍光体パネルＰは、搬送ローラ９４ａ〜９４ｇ及びガイド板９６ａ〜９６ｆからなる湾曲搬送路９８を介して、走査ユニット１０６の下部に搬送される。
【０１１１】
蓄積性蛍光体パネルＰは、搬送ローラ９４ｄ及び９４ｅにより略水平方向に副走査搬送される。一方、励起部１０８から出力されたレーザビームＬＢは、プラテンローラ１０４により支持された放射線変換パネルＰに導かれ、蓄積性蛍光体パネルＰを主走査する。
【０１１２】
蓄積性蛍光体パネルＰは、レーザビームＬＢが照射されることで励起され、蓄積記録されている放射線画像情報に応じた輝尽発光光を出力する。この輝尽発光光は、蓄積性蛍光体パネルＰの主走査方向に沿って近接配置された集光ガイド１１２の下端部から入射し、内部で反射を繰り返し、上端部のフォトマルチプライヤ１１４に導かれる。フォトマルチプライヤ１１４は、入射した輝尽発光光を電気信号に変換し、これによって、蓄積性蛍光体パネルＰに蓄積記録されている放射線画像情報が読み取られる。
【０１１３】
走査ユニット１０６によって読み取られた放射線画像情報は、院内ネットワーク３２を介してコンソール２４及び第２操作ユニット２６ｂに送信される。第２操作ユニット２６ｂは、第２操作ユニット２６ｂの場合と同様に、受信した放射線画像情報をプレビュー画像として表示部１３０に表示させる。技師は、表示されたプレビュー画像を確認し、必要に応じて、撮影条件を変更して直ちに再撮影を行うことができる。
【０１１４】
本実施の形態では、第１撮影装置２０ａ〜第４撮影装置２０ｄに対し、コンソール２４を共有させて処理室１３２の省スペース化を推進することができると共に、第１撮影室１８ａ〜第４撮影室１８ｄ毎に取得した放射線画像情報を第１操作ユニット２６ａ〜第４操作ユニット２６ｄに表示させ、個別に放射線画像情報を確認することができる。
【０１１５】
一方、取得した放射線画像情報が適切である場合、例えば第１撮影装置２０ａにて取得された放射線画像情報は、第１撮影装置２０ａ又は第１操作ユニット２６ａからコンソール２４に送信され、画像処理部１２０で所望の画像処理が施された後、院内ネットワーク３２を介してビューア１６に送信される。医師は、ビューア１６に送信された放射線画像情報に基づき、必要な読影診断を行う。
【０１１６】
そして、電光掲示板２０６には、第１撮影室１８ａ〜第４撮影室１８ｄに対応して、それぞれ撮影予定の被写体３４の番号と撮影開始予定時刻と撮影終了予定時刻が時系列で表示されることから、待合区画２０４で待っている被写体３４は、自分の撮影がいつ開始されるかを把握でき、どれだけ待てばよいかという精神的負担を軽減することができる。また、待ち時間を利用して、買い物や別の用事を済ませることができる等、利用する側から見ても便利である。
【０１１７】
また、被写体３４の第１撮影室１８ａ〜第４撮影室１８ｄへの割付（特定）を自動的に行うことから、技師は、被写体３４の割付に煩わされることなく、撮影処理に専念でき、操作ミスの低減を図ることができると共に、被写体３４に対するサービスの向上に努めることもできる。また、撮影終了時刻（全体の撮影終了時刻）が早くなるように、第１撮影室１８ａ〜第４撮影室１８ｄへの割付（特定）を行うことから、技師を無駄に長時間拘束することがなくなり、極度の疲労を与えることをなくすことが可能となる。
【０１１８】
上述の例では、電光掲示板２０６に、第１撮影室１８ａ〜第４撮影室１８ｄに対応して、それぞれ撮影予定の被写体３４の番号と撮影開始予定時刻と撮影終了予定時刻が時系列で表示するようにしたが、その他、それぞれ撮影予定の被写体３４の番号と撮影終了予定時刻だけを表示するようにしてもよいし、撮影開始予定時刻と撮影終了予定時刻の代わりに待ち時間を表示するようにしてもよい。待ち時間は、撮影室毎に、各被写体３４の撮影時間Ｔを加算することによって求めることができる。
【０１１９】
また、被写体３４を呼び出す場合に、技師がマイク２１８を使って音声で呼び出す例を示したが、その他、作成された第１順番情報テーブル２５２ａ〜第４順番情報テーブル２５２ｄの内容（主に被写体の番号）に基づいて、コンピュータ（コンソール２４のコンピュータでもよいし、専用のコンピュータでもよい）によって呼び出し用の音声出力データ（呼び出しメッセージ）を作成し、各撮影室での撮影の開始時点や撮影の終了時点にて順番に、被写体の番号を含めた前記呼び出しメッセージを音声出力するようにしてもよい。この場合、コンピュータは、第１スイッチ２２２ａ〜第４スイッチ２２２ｄに代えて、上述した音声出力のタイミングでそれぞれ撮影室に対応させたオン信号を表示コントローラ２２０に入力させるようにしてもよい。これにより、全自動で、被写体３４の呼び出しや、第１補正部２５４ａ及び第２補正部２５４ｂでの補正処理、並びに電光掲示板２０６への撮影終了予定時刻等を含めた順番情報の表示を行うことができる。
【０１２０】
なお、本発明に係る放射線画像撮影システムは、上述の実施の形態に限らず、本発明の要旨を逸脱することなく、種々の構成を採り得ることはもちろんである。
【図面の簡単な説明】
【０１２１】
【図１】本実施の形態に係る放射線画像撮影システムを示す構成図である。
【図２】本実施の形態に係る放射線画像撮影システムの模式的説明図である。
【図３】放射線変換パネルを示す回路構成図である。
【図４】読取装置を示す構成図である。
【図５】本実施の形態に係る放射線画像撮影システムを構成するコンソール、撮影装置及び操作ユニットを中心とする制御ブロック図である。
【図６】本実施の形態に係る放射線画像撮影システムを病院内に設置する場合のレイアウトの一例を示す説明図である。
【図７】電光掲示板に表示される内容の一例を示す説明図である。
【図８】本実施の形態に係る放射線画像撮影システムのコンソールでの処理（撮影時間の予測処理）を示すブロック図である。
【図９】撮影時間の内訳を示すタイミングチャートである。
【図１０】図１０ＡはＲＩＳに登録された順番に被写体を割り付けた１つの例を示す説明図であり、図１０Ｂは全体の撮影終了時刻が最短となるように被写体を割り付けた１つの例を示す説明図である。
【図１１】操作ユニットの操作面を示す説明図である。
【図１２】本実施の形態に係る放射線画像撮影システムのコンソールでの処理（撮影時間の予測処理）の他の例を示すブロック図である。
【符号の説明】
【０１２２】
１０…放射線画像撮影システム
１２…ＨＩＳ
１４…ＲＩＳ
１８ａ〜１８ｄ…第１撮影室〜第４撮影室
２０ａ〜２０ｄ…第１撮影装置〜第４撮影装置
２２…処理室
２４…コンソール
２６ａ〜２６ｄ…第１操作ユニット〜第４操作ユニット
２８…読取装置
３２…院内ネットワーク
３４…被写体
２０６…電光掲示板
２２０…表示コントローラ
２２６…撮影時間予測部
２２８…被写体割付部
２３２…第１予測部
２３４…第２予測部
２４０…正味撮影時間予測部
２４２…正味撮影時間補正部
２４４…脱着時間予測部
２４６…脱着時間補正部
２５４ａ…第１補正部
２５４ｂ…第２補正部
２６０…実績値登録部
【図１】
2009247571.tif 000003
【図２】
2009247571.tif 000004
【図３】
2009247571.tif 000005
【図４】
2009247571.tif 000006
【図５】
2009247571.tif 000007
【図６】
2009247571.tif 000008
【図７】
2009247571.tif 000009
【図８】
2009247571.tif 000010
【図９】
2009247571.tif 000011
【図１０】
2009247571.tif 000012
【図１１】
2009247571.tif 000013
【図１２】
2009247571.tif 000014